【事件の表示】
　特願２０００−３７１３０９「遊技場用のデータ表示システム」拒絶査定不服審判事件〔平成１４年　６月１８日出願公開、特開２００２−１７２１９５〕について、次のとおり審決する。
【結　論】
　本件審判の請求は、成り立たない。
【理　由】
１．手続の経緯
　本願は、平成１２年１２月６日に出願したものであって、平成１５年３月３１日付の最初の拒絶理由が通知され、平成１５年５月７日付で手続補正がなされたが、平成１５年８月６日付の最後の拒絶理由が通知され、平成１５年９月１０日付けで手続補正がなされたが、平成１５年１０月３１日付で平成１５年９月１０日付けの前記手続補正が却下されるとともに、同日付で拒絶査定がなされた。これに対し、平成１５年１２月８日に拒絶査定に対する審判請求がなされるとともに、同日付けで手続補正がなされたものである。
　
２．平成１５年１２月８日付の手続補正についての補正却下の決定
　
〔補正却下の決定の結論〕
　平成１５年１２月８日付の手続補正（以下、「本件補正」という。）を却下する。
　
〔理由〕
（１）補正後の本願発明
　本件補正により、特許請求の範囲の請求項１は、
　
「遊技場内の各遊技機と対応した位置に当該遊技機についての遊技データを表示するための表示装置を設けた遊技場用のデータ表示システムにおいて、
　遊技客を特定可能な情報が記録された携帯可能な記録担体と、
　各遊技機に対応して設けられ前記記録担体に記録された情報を読み取り可能に設けられた情報読取手段と、
　各遊技機の遊技データを逐次更新記憶すると共に、前記情報読取手段が読み取った情報に基づいて遊技客が遊技した遊技機の識別情報を遊技履歴データとして記憶可能に設けられ、遊技機側からの要求に応じて上記遊技履歴データにより特定される遊技機についての遊技データを返信可能に構成された情報処理手段と、
　前記遊技客が遊技対象の遊技機を変更して新たな遊技機での遊技を開始した状態時に、変更前に遊技していた遊技機についての変更後における他の遊技客による遊技データを前記情報処理手段に要求すると共に、その要求に応じて返信された遊技データを、新たに遊技開始した遊技機と対応した表示装置に当該遊技機の遊技データと一緒に参考遊技データとして比較表示する制御を行う表示制御手段とを備え、
　前記表示制御手段は、前記表示装置に対し前記参考遊技データを表示する際に、前記遊技客が遊技対象の遊技機を変更した時点以降の遊技データを表示することを特徴とする遊技場用のデータ表示システム。」
　
と補正された。
　上記補正は、補正前（平成１５年５月７日付手続補正書により補正された特許請求の範囲）の請求項１に記載された発明を特定する事項である、「（遊技客が）遊技機へ移動する前に遊技していた遊技機についての遊技データ」、及び、参考遊技データとして表示される遊技データを、それぞれ「（遊技客による遊技機の）変更前に遊技していた遊技機についての変更後における他の遊技客による遊技データ」、及び、「遊技客が遊技対象の遊技機を変更した時点以降の遊技データ」に限定する補正を含むものであるから、特許法第１７条の２第４項第２号に掲げる特許請求の範囲の減縮を目的とするものに該当する。
　
　そこで、本件補正後の請求項１に係る発明（以下、「本願補正発明」という。）が特許出願の際に独立して特許を受けることができるものであるか（平成１５年改正前特許法第１７条の２第５項で準用する同法１２６条第４項の規定に適合するか）について以下検討する。
　
（２）特許法第２９条第２項について
（２．１．）引用例の記載内容
　本願の出願の日前に頒布された、特開平１０−３０５１５１号公報（以下、「引用例１」という。）、特開平１１−１９７３３４号公報（以下、「引用例２」という。）、特開平１０−１４６４３２号公報（以下、「引用例３」という。）には、それぞれ次の事項が記載されている。
・引用例１
「【特許請求の範囲】
【請求項１】　遊技台が多数設置された遊技場に設けられるものであって、
　遊技客を特定するための識別コードが記憶された記憶担体と、
　前記遊技台に対応する位置に前記記憶担体の記憶内容を読取可能に設けられた読取手段と、
　前記遊技台毎の稼働情報を記憶する稼働情報記憶手段と、
　遊技客による前記遊技台での遊技開始を判定する遊技開始判定手段と、
　この遊技開始判定手段が遊技開始したと判定した後に遊技の終了を判定する遊技終了判定手段と、
　前記遊技開始判定手段が遊技開始を判定してから前記遊技終了判定手段が遊技終了を判定するまでの間に使用された前記記憶担体から読取った識別コードと前記稼働情報記憶手段が記憶している稼働情報とを対応付ける遊技客特定手段とを備えたことを特徴とする遊技場用管理システム。
【請求項２】　前記遊技客特定手段が対応付けた稼働情報と識別コードとの対応関係に基づいて前記遊技台毎の遊技履歴を作成する遊技履歴作成手段を備えたことを特徴とする請求項１記載の遊技場用管理システム。」、
「【請求項５】　前記遊技開始判定手段は、遊技開始を判定してから前記遊技終了判定手段が遊技終了を判定するまでの期間を除いた状態において前記読取手段が前記記憶担体から識別コードを読取ったときに遊技開始であると判定することを特徴とする請求項１乃至３の何れかに記載の遊技場管理システム。」、
「【０００１】
【発明の属する技術分野】
　本発明は、遊技台に１対１で対応して設けられ記憶担体の利用により遊技媒体の貸出及び預入等の各種サービスを行う遊技場用管理システムに関する。」、
「【０００５】
　本発明は上記事情に鑑みてなされたもので、その目的は、識別コードが記憶された記憶担体の利用により各種サービスを行う構成において、遊技客と遊技台の遊技履歴とを確実に対応付けて管理することができる遊技場用管理システムを提供することにある。」、
「【００３９】
【発明の実施の形態】
　以下、本発明をパチンコホールに適用した一実施例について図面を参照しながら説明する。
　図２には、例えばパチンコホールの遊技会員となった遊技客に対して発行される会員カード１（本発明の記憶担体に相当）の正面図が示されている。この会員カード１は、その表面にテープ状の磁気データ記録部１ａが設けられていると共に、会員（遊技客）の氏名、パチンコホール名、有効年月日などエンボス加工により形成したカードデータ表示部１ｂが設けられている。この場合、上記磁気データ記録部１ａには、例えばパチンコホールを特定するための加盟店コード、前記会員に割り当てられたＩＤ（識別コード）であるカードＩＤ、カード有効年月日を示す有効期限データなどが記録されている。」、
「【００４６】
　台毎計数返却機９（本発明の貸出手段、預入手段、補助貸出手段に相当）は、パチンコ遊技台３の左方に当該パチンコ遊技台３と１対１で対応した隣接状態で設置されるものであり、以下においては、この台毎計数返却機９について説明する。
【００４７】
　即ち、台毎計数返却機９は、縦長の矩形箱状に構成されており、その前面には、呼び出しランプ１０ａ、対応するパチンコ遊技台３において特賞及び打止が発生した各状態を表示するための特賞表示ランプ１０ｂ及び打止表示ランプ１０ｃ、パネルユニット１１、パチンコ玉放出用のノズル１２、硬貨返却口１３、前記会員カード１を挿入するためのカード挿入口１４、カード排出用のイジェクトスイッチ１５、前記案内管８の基部が連結された計数機ユニット１６が設けられている。」、
「【００４９】
　上記パネルユニット１１には、図５に拡大して示すように、硬貨投入口１８、硬貨戻しボタン１９、呼び出しスイッチ２０、画像表示可能な平面ディスプレイ（例えばドット表示タイプの液晶ディスプレイ）より成る表示部２１、この表示部２１にパチンコホール側から提供される各種の管理用データ（パチンコ遊技台３に関する特賞発生回数データなど）を表示する状態を選択するためのデータ画面選択スイッチ２２、当該表示画面の内容を切換えるための合計２個のデータ画面切替スイッチ２３、表示部２１にテレビ放送画面を表示する状態を選択するためのＴＶ画面選択スイッチ２４、図示しないイヤホーンなどを通じて遊技客側に供給される音声出力のボリュームを調整するための合計２個のボリュームスイッチ２５、上記ＴＶ画面用のチャンネル切替スイッチ２６、遊技を中断する際に操作する中断スイッチ２７、スイッチパネル２８が設けられている。」、
「【００５４】
　台毎計数返却機９内に前記カード挿入口１４と対応するように設けられたカードリーダ３５は、当該カード挿入口１４から挿入されたカードを内部に取り込むと共に、そのカードに記録されたデータを読み取る動作を行う構成となっており、内部に取り込んだ状態のカードの排出動作は、前記制御部３４からの指令により行う構成となっている。
【００５５】
　図６には、台毎計数返却機９の電気的構成が機能ブロックの組み合わせにより示されている。この図６において、台毎計数返却機９が有する制御部３４は、図示しないＣＰＵの他にデータを記憶するためのメモリなどを含んで構成されている。
【００５６】
　この制御部３４は、後述する主管理装置（図７に符号３６を付して示す）との間でデータの送受信を、送受信部３７を通じて行うようになっている。また、制御部３４は、前記パネルユニット１１内のスイッチ群からの操作信号、イジェクトスイッチ１５からの操作信号、計数機ユニット１６内の計数終了スイッチ３１及び玉計数機２９からの操作信号及び数値信号、検銭機構３３からの判断信号、カードリーダ３５による読み取りデータ、管理装置３６からの送信データ、並びに予め記憶したプログラムに基づいて、パネルユニット１１内の表示部２１、呼び出しランプ１０ａ、特賞表示ランプ１０ｂ、打止表示ランプ１０ｃ、放出機構１７、プリンタ３２、カードリーダ３５の制御を行うと共に、主管理装置３６との間の送受信処理のための制御を行う構成となっている。」、
「【００５８】
　図７にはパチンコホール内に設置された全部のパチンコ遊技台３及び台毎計数返却機９を含む全体のシステム構成が機能ブロックの組合わせにより示されている。この図７において、パチンコ遊技台３及び台毎計数返却機９の各対は、後述する主管理装置３６（本発明の稼働情報記憶手段、遊技客特定手段、遊技履歴作成手段に相当）との間のデータ送受信動作を、それぞれに対応した遊技台管理端末器３８（本発明の遊技開始判定手段、遊技終了判定手段に相当）を介して行う構成となっている。」、
「【００６１】
　そして、遊技台管理端末器３８は、後述するように入力した信号に基づいて各パチンコ遊技台３の遊技ファイルを作成して主管理装置３６に送信する。
【００６２】
　主管理装置３６は、遊技台管理端末器３８を介して各パチンコ遊技台３の制御を行う一方で、遊技台管理端末器３８を介して各パチンコ遊技台３のデータを収集すると共に、収集した各種データに基づいて各種管理帳票を表示或いは印字する。また、主管理装置３６は、遊技台管理端末器３８からカードＩＤデータを入力したときは、そのカードＩＤに対応したカードの使用が有効か否かを会員ホストコンピュータ３９（本発明の遊技客記憶手段に相当）により確認する。
【００６３】
　さて、図１は遊技台管理端末器３８の構成を示している。この図１において、制御部４０はＣＰＵを主体として構成されており、入力処理部４１を通じてパチンコ遊技台３及び台毎計数返却機９から使用種別を含むＩＤ信号、ラッキー中信号、確変中信号、計数中信号、中断中信号、玉皿玉有り信号、売上金額信号、アウト玉数信号、特賞中信号を入力することにより、第１の遊技履歴用レジスタ４２に遊技の開始或いは特賞の種別或いはカードＩＤを判断するための情報を記憶する。」、
「【００７２】
　次に上記構成の作用を、台毎計数返却機９の動作を示す図９乃至図１２を参照して説明する。　
　台毎計数返却機９の制御部４０は、電源が投入されると、遊技ファイル４９及び各レジスタ４２，４３，４７を初期化によりクリアしてから（Ｓ９０１）、遊技開始条件が発生したかを判断する（Ｓ９０２）。この遊技開始条件とは遊技客が遊技を開始したものと判断するための条件で、以下の条件のうちの１つが満足した場合に成立する。
【００７３】
　１（○に１）売上入力……売上金額信号が入力した（現金による玉貸しがあった）。
　２（○に２）会員カード１の（当日カード）使用…会員ホストコンピュータ３９によりカードのＩＤが有効であることが確認された。　
　３（○に３）アウト入力…アウト信号が入力した（パチンコ遊技台３でアウト玉が発生した）。
【００７４】
　さて、制御部４０は、遊技客が台毎計数返却機９により現金によりパチンコ玉の貸出しを受けたときは、対応するパチンコ遊技台３の売上が増加するので、遊技開始条件が成立したと判断して開始データをセットする（Ｓ９０３）。つまり、時計４８の現在時刻を遊技ファイル４９の遊技開始時刻記憶領域に遊技開始時刻としてセットすると共に、第１の遊技履歴用レジスタ４２の遊技条件記憶領域に開始条件（上記１（○に１）〜３（○に３）の何れか）を記憶する（図８参照）。この開始条件は遊技が終了したことを判定する解除判定に使用するためのものである。」、
「【００７８】
　この場合、遊技客が会員カード１を利用したときは（Ｓ９１０：ＹＥＳ）、第１の遊技履歴用レジスタ４２の対応するＩＤ記憶領域にカードＩＤを記憶する（Ｓ９１１）。つまり、遊技客が遊技のために会員カード１（当日カード）により貯玉を引出したときは、第１の遊技履歴用レジスタ４２の貯玉引出ＩＤ記憶領域にカードＩＤを記憶し、カードにより貯玉数の確認、或いは稼働データの確認が行われただけのときは、一般使用ＩＤ記憶領域にカードＩＤを記憶するもので、カードが使用される毎に、そのカードＩＤが使用種別（貯玉引出、一般使用）に応じて更新記憶されるようになっている。これらのカードＩＤは、後述するように遊技客を特定する際に利用されるようになっている。
【００７９】
　そして、制御部４０は、解除タイマをリセットしてから（Ｓ９１２）、次のステップに移行することにより遊技終了を判定する。　
　以上の動作により、遊技客による遊技の開始が特定されると共に、遊技客が会員カード１を使用したときは、その使用種別に応じてカードＩＤが更新記憶される。
【００８０】
　・・・
　さて、上述のようにして遊技が開始されると、パチンコ遊技台３からアウト玉数信号及びセーフ玉数信号が出力されるので、入力処理部４４は、アウト玉数信号及びセーフ玉数信号を第２の遊技履歴用レジスタ４３に出力する。これにより、第２の遊技履歴用レジスタ４３のアウト玉数記憶領域には遊技開始からのアウト玉数が記憶されると共に、セーフ玉数記憶領域には遊技開始からのセーフ玉数が記憶される。」、
「【０１０５】
　以上のようにして通常の特賞モード、確変モード或いはラッキーモードによる特賞が終了する毎に、主管理装置３６には各遊技客による遊技情報を示す遊技ファイル４９が順に記憶される。」、
「【０１２８】
　図１３は主管理装置３６が作成した台番号１の遊技台別遊技履歴を示している。この図１３において、遊技履歴帳票の上部には、パチンコ遊技台の台番号、機種、島が表示されていると共に、当該パチンコ遊技台で遊技した遊技客の順番に、その遊技時間、会員名、性別／年齢／職業、稼働（率）、売上（円）、貯玉引出（個）、景品・貯玉預入（個）、特賞回数、ベース、スタート、ＢＯ、ＴＹ、特賞履歴が記載されている。・・・」、
「【０１３１】
　また、図１５は遊技客別遊技履歴を示している。この図１５において、遊技客遊技履歴帳票の上部には、遊技客種別及び遊技日付が表示されていると共に、当該遊技客が遊技したパチンコ遊技台の遊技情報が順に表示されている。また、遊技客別遊技履歴帳票の下部には当該遊技客が遊技したパチンコ遊技台数及び当該遊技客全体及び平均の遊技時間、稼働（率）、売上（円）、貯玉引出（個）、景品・貯玉預入（個）、特賞回数、ベース、スタート回数、ＢＯ、ＴＹが表示されている。
【０１３２】
　また、図１６は所定の数日間にわたる遊技客別遊技履歴を示しており、表示内容は図１５と同様であるので、その説明を省略する。
【０１３３】
　上記構成のものによれば、パチンコ遊技台３及び台毎計数返却機９の稼働情報に基づいて遊技客がパチンコ遊技台３で遊技を開始したことを判定すると共に、当該遊技客がパチンコ遊技台３で遊技を終了したことを判定し、さらに遊技開始判定から遊技終了判定までの間に会員カード１が一度でも使用されたときは、当該会員カード１から遊技した遊技客を特定して履歴情報を作成するようにしたので、遊技客の持玉や特賞、打止などの情報をもとに遊技客の交代を判定しその履歴情報を作成する方法に比較して、遊技客を信頼性よく特定して精度の高い履歴情報を作成することができる共に、パチンコ遊技台毎に設けたカードリーダにカードが挿入されている間をその会員の収支データとして把握する方法に比較して、遊技客に会員カードをカードリーダに挿入することを強制する必要がなく、現実的に実施することができる。」。
　
  ここで、前記表示部２１に表示される、パチンコホール側から提供される各種の管理用データ（パチンコ遊技台３に関する特賞発生回数データなど）について、引用例１の発明の詳細な説明には、「パチンコ遊技台３及び台毎計数返却機９の各対は、後述する主管理装置３６（本発明の稼働情報記憶手段、遊技客特定手段、遊技履歴作成手段に相当）との間のデータ送受信動作を、それぞれに対応した遊技台管理端末器３８（本発明の遊技開始判定手段、遊技終了判定手段に相当）を介して行う構成となっている（段落【００５８】）」と記載されていることなどから、引用例１に記載の前記「各種の管理用データ」が、遊技台管理端末器３８及び主管理装置３６がパチンコ遊技台３側からの要求に応じて、同パチンコ遊技台３の台番号により特定されるパチンコ遊技台３のデータを返信したものであることは明らかである。
　そして、上記記載事項や、上記明らかな事項等を総合すると、引用例１には、以下の発明（以下、「引用例１に記載の発明」という。）が記載されていると認められる。
　
 「パチンコホール内の各パチンコ遊技台３に１対１で対応する表示部２１を備え、前記表示部２１にはパチンコホール側から提供されるパチンコ遊技台３のデータが表示される遊技場用管理システムにおいて、
　遊技客を特定するための識別コードが記憶された会員カード１と、
　前記パチンコ遊技台３に対応する位置に前記会員カード１の記憶内容を読取可能に設けられた読取手段と、
　各パチンコ遊技台３のデータを収集すると共に、前記識別コードに基づいて遊技客が遊技したパチンコ遊技台３の台番号を遊技履歴の一部として記憶可能に設けられ、パチンコ遊技台３側からの要求に応じて、前記遊技履歴の一部として記憶したパチンコ遊技台３の台番号により特定されるパチンコ遊技台３のデータを返信可能に構成された遊技台管理端末器３８及び主管理装置３６と、
　前記表示部２１等の制御を行う制御部３４と、
を備えた遊技場用管理システム。」
　
・引用例２
「【発明の詳細な説明】
【０００１】
【発明の属する技術分野】
　本発明は、例えばパチンコ遊技機やスロットマシンのように、遊技媒体を使用した遊技に応じて当たり状態となったときに遊技媒体の払出動作を行うと共に、消費遊技媒体及び払出遊技媒体などに関するデータ管理用信号を出力するように構成された遊技機が多数台設置される遊技場用のデータ管理システムに関する。
【０００２】
【従来の技術】
　例えば、パチンコホールにおいては、店内のパチンコ遊技機についての収支や大当たり（特賞）回数のデータなどを含む遊技機データを遊技客側に公開し、以て遊技客側の便宜を図るシステムが実用化されている。また、前記遊技機データを専用端末からダウンロードできるように構成されたマイコンより成る携帯型データ表示機を遊技客に提供するシステムも実現されており、このようなシステムによれば、携帯型データ表示機を利用したデータ分析を、パチンコホール外において時間をかけて行うことができるなど、遊技客側の利便性がさらに向上するという利点がある。
【０００３】
【発明が解決しようとする課題】
　しかしながら、上記のような携帯型データ表示機を利用したシステムでは、ダウンロードした遊技機データに基づいてパチンコ遊技機の特性などを分析することは可能であるが、遊技客個人の遊技成績（例えばパチンコ遊技機１の機種毎の損得結果、通算の損得結果など）については分析することが不可能である。このため、マイコンの機能を備えた携帯型データ表示機の機能を十分に活かしているとはいえず、この点が未解決の課題となっていた。
【０００４】
　本発明は上記事情に鑑みてなされたものであり、その目的は、遊技客個人の遊技成績を携帯型データ表示機に表示できるようになり、以て遊技客側の利便性を大幅に向上させ得るなどの効果を奏する遊技場用のデータ管理システムを提供することにある。」、
「【０００９】
　さらに、前記携帯型データ表示機を、前記データ管理端末に接続された状態で、遊技客により予め設定された期間の遊技機データのみをダウンロードする構成とすることもできる（請求項４）。このような構成によっても、携帯型データ表示機に対して、遊技客が希望する期間の個人成績データを選択的に表示可能になるものであり、また、予め期間を設定しておけば、その期間において遊技機データのダウンロードが自動的に行われるから、この面からも利便性が向上するようになる。」、
「【００２１】
　つまり、台間玉貸機２は、パチンコ遊技機１から出力されるデータ管理用信号ＳＤをホストコンピュータ３へ送信する機能の他に、通常の貸出機能による貸出高を示す売上信号、貯玉貸出機能による貸出高を示す貯玉払出信号、会員カードから読み取った会員データなどを含む売上データ信号をホストコンピュータ３へ送信する機能を有し、また、ホストコンピュータ３からの送信データを受信して記憶する機能も有する。さらに、台間玉貸機２は、データ管理端末として機能するために、パチンコ遊技機１からのデータ管理用信号ＳＤ並びに自身が出力する売上信号及び貯玉払出信号などに基づいて、それぞれ現在時点での累計スタート回数、特賞発生回数、確率変動状態発生回数、アウト玉数、セーフ玉数、売上金額、貯玉貸出数、特賞発生確率などを演算して表示用データとして蓄積する。そして、データ表示機４が接続されている状態では、上記のような表示用データのデータ蓄積動作を行う毎に、当該最新の表示用データをデータ表示機４へ逐次送信する機能を有するものである。この場合、上記表示用データには、対応するパチンコ遊技機１の機種名を示すデータや、他のパチンコ遊技機１についての同様のデータも含まれる。」、
「【００３２】
　ここでいう詳細履歴とは、選択された機種のパチンコ遊技機１毎についての遊技履歴であって、例えば各パチンコ遊技機１において特賞が発生するまでのスタート回数などを含むデータであり、上記詳細履歴表示ルーチンＡ１６では、このような詳細履歴を表示パネル５に表示した状態をメニューキャンセルスイッチ８が操作されるまで保持する。そして、メニューキャンセルスイッチ８が操作されたときには、ステップＡ２に戻って通常画面を表示した状態に復帰する。
【００３３】
　また、上記履歴帳票とは、データ表示機４を所持した遊技客の当日での遊技履歴であり、上記履歴帳票表示ルーチンＡ１７では、このような遊技履歴を図１０に示すような形態で表示パネル５に表示する。具体的には、この遊技履歴表示画面は、該当する遊技客が遊技したパチンコ遊技機１毎の遊技履歴データ（遊技時間帯、特賞発生回数、スタート回数、差玉数）を、当該パチンコ遊技機１の台番号毎と対応付けた状態で１行ずつにまとめて表示すると共に、それらの遊技履歴データの累計データ（合計遊技時間、特賞発生回数の総数、スタート回数の総数、差玉数の合計）を表示したものであり、遊技客は、このような表示内容に基づいて自身の一日の遊技内容を把握できることになる。そして、履歴帳票表示ルーチンＡ１７では、上記のような遊技履歴表示画面を表示した状態でメニューキャンセルスイッチ８が操作されたときには、ステップＡ２に戻って通常画面を表示した状態に復帰する。」、
「【００５１】
　次に、図５に示す割込処理プログラムについて説明する。即ち、この割込処理プログラムは、表示パネル５に対する上述のような表示データ並びに後述のような表示データの算出の基礎となる基礎データを採取するためのプログラムである。前にも述べたように、上記割込制御プログラムは、データ表示機４のプラグ５ｂが台間玉貸機２側のジャック２ｄに接続（挿入）された状態で実行されるものであるが、その接続状態では、台間玉貸機２から最新の表示用データ（累計スタート回数、特賞発生回数、確率変動状態発生回数、アウト玉数、セーフ玉数、売上金額、貯玉貸出数、特賞発生確率、機種名データなど）がデータ表示機４へ送信されるようになる。
【００５２】
　しかして、割込処理プログラムの実行時には、まず、最初に表示パネル５に対して、上記表示用データに基づいて図１９及び図２０に示すような遊技機データ画面を表示する（ステップＢ１）。具体的には、この遊技機データ画面には、対応するパチンコ遊技機１の台番号ｍ１の他に、データ表示機４を所持した遊技客についての特賞発生回数、スタート回数、確率変動状態発生回数、特賞発生確率を示す個人データｍ２と、パチンコ遊技機１における累計特賞発生回数、累計スタート回数、累計確率変動状態発生回数、特賞発生確率を示す遊技機データｍ３とが表示されるようになっている。但し、割込処理プログラムの実行当初には個人データｍ２は発生していないので、図１９に示すような初期値を表示した状態となる。」、
「【００６４】
　この場合、データ表示機４は、台間玉貸機２に接続された期間において遊技機データのダウンロードをリアルタイムに行う構成となっているから、その表示内容の信頼性が向上するようになる。」。
　
・引用例３
「【発明の詳細な説明】
【０００１】
【発明の属する技術分野】
　本発明は、ＩＤカードを利用して遊技台で遊技する遊技客に遊技台の稼働情報を提供する遊技情報公開システムに関する。」、
「【０００６】
　本発明は上記事情に鑑みてなされたもので、その目的は、遊技客が自分の遊技成績を客観的に判断することができる遊技情報公開システムを提供することにある。」、
「【０００９】
　さて、遊技客が遊技台の稼働情報を確認したいときは、情報提供端末機のカードリーダにＩＤカードを挿入する。すると、情報提供端末機は、出力する稼働情報中にカードリーダがＩＤカードから読取った個人情報に対応した稼働情報が含まれていたときは、その稼働情報を他の遊技客に対応した稼働情報と識別可能に出力する。これにより、遊技客は、自分の遊技成績を他の遊技客の遊技成績と比較検討することができる。
【００１０】
　また、本発明は、各遊技台に対応して設けられたカードリーダと、遊技台の稼働情報と前記カードリーダがＩＤカードから読取った個人情報とを対応させた状態で記憶管理する管理装置と、外部操作に応じて前記管理装置が記憶している稼働情報を出力する情報提供端末機とを設けた上で、前記情報提供端末機は、カードリーダを有し、前記管理装置が記憶している稼働情報中に前記カードリーダがＩＤカードから読取った個人情報に対応した稼働情報が含まれていたときは、その稼働情報を他の遊技客に対応する稼働情報と識別可能に出力するようにしたものである（請求項２）。
【００１１】
　このような構成によれば、情報提供端末機は、カードリーダがＩＤカードに記憶された個人情報を読取ったときは、管理装置が記憶している稼働情報中にカードリーダがＩＤカードから読取った個人情報に対応した稼働情報が含まれているかを判断し、含まれていたときは、その稼働情報を他の遊技客に対応する稼働情報と識別可能に出力する。これにより、遊技客は、自分の遊技成績を他の遊技客の遊技成績と比較検討することができる。」、
「【００１５】
【発明の実施の形態】
　以下、本発明の一実施例を図面を参照して説明する。　
　図１は全体の構成を概略的に示している。この図１において、各遊技台１に隣接してカードリーダ２が設けられており、遊技客は、カードリーダ２にＩＤカードとしての会員カードを読取らせた状態で遊技台１で遊技するようになっている。この会員カードは貯玉システムを利用するためのものである。
【００１６】
　この貯玉システムとは、パチンコホールから発行された会員カードを利用して遊技台１で遊技するもので、この会員カードには遊技客固有の個人情報が記憶されている。・・・
【００１７】
　また、管理装置３は、カードリーダ２が会員カードの個人情報を読取った状態で遊技台１が遊技されたときは、その遊技台１の稼働情報をカードリーダ２が読取った個人情報に対応して記憶することにより各遊技台１の稼働情報を示すデータファイルを作成する。」、
「【００１９】
　次に上記構成の作用について説明する。　
　会員として登録されている遊技客は、遊技台１で遊技するときは、遊技台１に隣接して設けられたカードリーダ２に会員カードを挿入する。すると、カードリーダ２が会員カードに記憶された会員Ｎｏ．を読取って管理装置３に出力するので、管理装置３は、遊技台１毎の稼働情報をカードリーダ２から出力された会員Ｎｏ．に対応して順に記憶することによりデータファイルを作成する。」、
「【００３４】
　ところで、上述のようにして、情報提供端末機４を利用する遊技客は、当該情報提供端末機４に表示された各種データを確認することにより所望の遊技台１の稼働状態を把握することができるものの、自分の遊技成績の良否を判定することはできない。
【００３５】
　そこで、本実施例では、情報提供端末機４は、以下のようにして情報提供端末機４を利用している遊技客の稼働情報を他の遊技客の稼働情報と区別して表示するようになっている。
【００３６】
　即ち、遊技客が当日を含む数日間において１２３番台で遊技した状態で、情報提供端末機４の表示部４ｂに表示された図９のメニュー画面において１番の「指定台データ」モードを選択すると共に、図１０に示す台番号入力画面で１２３番台を選択したときは、情報提供端末機４は、データ作成処理において管理装置３が記憶しているデータファイルに基づいてカードリーダ４ｅが読取った会員カードに記憶された会員Ｎｏ．に対応する稼働情報と他の遊技客に対応した稼働情報とを区別して作成して表示する。
【００３７】
　図１６の表示例では、１２３番台の稼働情報としては、スタート回数が１２３４回、特賞回数が１２回、確率が１／１０３で、そのうち情報提供端末機４を利用している遊技客によるスタート回数が５６７回、特賞回数が８回、確率が１／７１、他の遊技客によるスタート回数が６６７回、特賞回数が４回、確率が１／１６７であることを示しており、情報提供端末機４を操作する遊技客の遊技成績は他の遊技客の遊技成績に比較して優れていることを示している。
【００３８】
　従って、情報提供端末機４を利用している遊技客は、情報提供端末機４の表示部４ｂに表示された遊技データを確認することにより、自分の遊技成績を他の遊技客の遊技成績と比較検討することができる。
【００３９】
　また、図１３の「出玉推移グラフ」モードにおけるグラフ表示画面に表示された稼働情報に情報提供端末機４を利用している遊技客に対応した稼働情報が含まれていたときは、情報提供端末機４は、図１７に示すように当該遊技客に対応した稼働情報を他の遊技客に対応した稼働情報とを区別して表示するので、遊技客は、自分の出玉成績を他の遊技客の出玉成績と比較検討することができる。
【００４０】
　ところで、情報提供端末機４を利用している遊技客が、自分で遊技した遊技台１毎の遊技成績を知りたいときは、図９のメニュー画面において４番の「自分の台データ」モードを選択する。
【００４１】
　情報提供端末機４は、メニュー画面において４番の「自分の台データ」モードが選択されたときは（Ａ８：ＹＥＳ）、「自分の台データ」モードに移行してデータ作成処理を実行する（Ｅ１）。このデータ作成処理では、管理装置３に記憶されているデータファイルにおいてカードリーダ４ｅが読取った会員Ｎｏ．に対応して記憶している稼働情報のうち最新の稼働情報を検索し、図１７に示すようにグラフ表示する。
【００４２】
　つまり、情報提供端末機４を利用している遊技客が当日を含む過去数日間にわたって遊技した最新の遊技台１が１２３番台であったときは、図１８のグラフ表示画面に示すように１２３番台の差玉数がグラフで表示されると共に、そのグラフ中の実線が情報提供端末機４を利用している遊技客に対応した稼働情報を示している。従って、遊技客は、自分が遊技した１２３番台における自分の遊技成績を他の遊技客の遊技成績と素早く比較検討することができる。　
　ここで、遊技客がデータとして自分の遊技成績を確認したいときは、図１８のグラフ表示画面の「データ」表示部をタッチ操作する。」、
「【００４５】
　上記構成のものによれば、情報提供端末機４は、会員の遊技客による外部操作に応じて遊技台１の稼働情報を表示する際に表示する稼働情報に当該情報提供端末機４を利用している遊技客に対応する稼働情報が含まれていたときは、その稼働情報を他の遊技客に対応する稼働情報と識別可能に表示するので、遊技台１の稼働情報を単に表示するだけの構成と違って、遊技客は、自分の遊技成績を他の遊技客の遊技成績と比較検討することができる。
【００４６】
　また、情報提供端末機４は、会員の遊技客による操作に応じてその遊技客に対応する稼働情報を管理装置３が記憶している否かを検索し、記憶している場合はその稼働情報を他の遊技客に対応する稼働情報と識別可能に表示するので、遊技客は、自分で遊技した遊技台の台番号を知らなくとも自分の遊技成績を他の遊技客の遊技成績と素早く比較検討することができる。」。
　
（２．２．）対比
　そこで、本願補正発明と引用例１に記載の発明とを対比すると、引用例１に記載の発明における「パチンコホール」、「パチンコ遊技台３」、「パチンコ遊技台３のデータ」、「表示部２１」、「遊技場用管理システム」、「遊技客」、「遊技客を特定するための識別コード」、「会員カード１」、「読取手段」、「台番号」は、それぞれ本願補正発明の「遊技場」、「遊技機」、「遊技データ」、「表示装置」、「遊技場用のデータ表示システム」、「遊技客」、「遊技客を特定可能な情報」、「記録担体」、「情報読取手段」、「識別情報」に相当し、
　引用例１に記載の発明における、遊技履歴の一部として記憶された「（前記識別コードに基づいて遊技客が遊技した）パチンコ遊技台３の台番号」は、本願補正発明における「遊技履歴データ」に相当する。
　また、前記のように、引用例１に記載の発明の「パチンコ遊技台３のデータ」、「遊技客を特定するための識別コード」、「パチンコ遊技台３の台番号」が、それぞれ本願補正発明の「遊技データ」、「遊技客を特定可能な情報」、「遊技履歴データ」に相当すること、また、引用例１には「遊技が開始されると、パチンコ遊技台３からアウト玉数信号及びセーフ玉数信号が出力されるので、入力処理部４４は、アウト玉数信号及びセーフ玉数信号を第２の遊技履歴用レジスタ４３に出力する。これにより、第２の遊技履歴用レジスタ４３のアウト玉数記憶領域には遊技開始からのアウト玉数が記憶されると共に、セーフ玉数記憶領域には遊技開始からのセーフ玉数が記憶される。（段落【００８０】）」及び「以上のようにして通常の特賞モード、確変モード或いはラッキーモードによる特賞が終了する毎に、主管理装置３６には各遊技客による遊技情報を示す遊技ファイル４９が順に記憶される。（段落【０１０５】）」と記載されており、同記載事項から、各パチンコ遊技台３のデータは逐次更新されているものと認められるから、引用例１に記載の発明における「遊技台管理端末器３８及び主管理装置３６」は、本願補正発明における「情報処理手段」に相当する。
　さらに、引用例１に記載の発明における「制御部３４」と、本願補正発明における「表示制御手段」とは、表示装置に対して遊技データの表示制御を行う手段で共通する。
　
　そうすると、両者は、
 「遊技場内の各遊技機と対応した位置に当該遊技機についての遊技データを表示するための表示装置を設けた遊技場用のデータ表示システムにおいて、
　遊技客を特定可能な情報が記録された携帯可能な記録担体と、
　各遊技機に対応して設けられ前記記録担体に記録された情報を読み取り可能に設けられた情報読取手段と、
　各遊技機の遊技データを逐次更新記憶すると共に、前記情報読取手段が読み取った情報に基づいて遊技客が遊技した遊技機の識別情報を遊技履歴データとして記憶可能に設けられ、遊技機側からの要求に応じて上記遊技履歴データにより特定される遊技機についての遊技データを返信可能に構成された情報処理手段と、
　前記表示装置に対して遊技データの表示制御を行う手段とを備えた遊技場用のデータ表示システム。」
　
で一致し、本願補正発明と引用例１に記載の発明とは、次の点で相違する。
　
（相違点）
　表示制御手段が、本願補正発明では、遊技客が遊技対象の遊技機を変更して新たな遊技機での遊技を開始した状態時に、変更前に遊技していた遊技機についての変更後における他の遊技客による遊技データを前記情報処理手段に要求すると共に、その要求に応じて返信された遊技データを、新たに遊技開始した遊技機と対応した表示装置に当該遊技機の遊技データと一緒に参考遊技データとして比較表示する制御を行い、さらに、前記表示装置に対し前記参考遊技データを表示する際に、前記遊技客が遊技対象の遊技機を変更した時点以降の遊技データを表示するのに対し、引用例１に記載の発明では、前記表示装置に対してパチンコ遊技台３のデータの表示制御を行うものの、本願補正発明のような表示制御を行うものではない点。
　
（２．３．）判断
　上記相違点について検討する。
　遊技場用のデータ表示システムにおいて、表示手段により遊技客に提示する遊技データとして、遊技客が遊技している遊技機における所望の期間の成績や、特定の遊技機における自分の遊技成績と他の遊技客の遊技成績とを比較可能に表示するなど、種々の表示態様が存在することは、本願出願前公知の技術事項（例えば、引用例２の段落【０００９】、【００２１】や、引用例３の段落【００３４】〜【００４２】、【図１６】〜【図１９】等参照）である。
　また、一般に、複数の項目からなるデータを分析する際のデータ表示態様として、分析の目的やデータの内容に応じて、比較可能なデータ同士を並べて表示することは、本願出願前ごく普通に行われている周知・慣用のデータ解析手法にすぎない。
　そうすると、引用例１に記載の発明に上記公知の技術事項を採用し、遊技客がそれまで遊技していたパチンコ遊技台３を変更して新たなパチンコ遊技台３で遊技を行う際に、制御部３４が、変更前のパチンコ遊技台３のデータを遊技台管理端末器３８及び主管理装置３６に要求し、その要求に応じて返信された変更前のパチンコ遊技台３のデータや変更後のパチンコ遊技台３のデータを、新たに遊技開始したパチンコ遊技台３に対応した表示部２１に表示制御し、その際の前記パチンコ遊技台３のデータは、パチンコ遊技台３を変更した後のものであるよう構成することは、容易に想到し得たものと認められ、さらに、前記パチンコ遊技台３のデータ表示態様に前記周知・慣用のデータ解析手法を適用して、変更前のパチンコ遊技台３のデータと変更後のパチンコ遊技台３のデータを一緒に表示することは、遊技客がデータ解析の目的に応じて適宜なし得る設計的事項である。
　
　そして、本願補正発明が奏する効果も、引用例１に記載された発明、引用例２，３に記載された事項及び周知技術事項から普通に予測できる範囲のものである。
　
　したがって、本願補正発明は、引用例１に記載された発明、引用例２，３に記載された事項及び周知技術事項に基いて当業者が容易に発明をすることができたものであるから、特許法第２９条第２項の規定により特許出願の際独立して特許を受けることができないものである。
　
（３）むすび 
 　以上のとおり、本件補正は、平成１５年改正前特許法第１７条の２第５項において準用する同法第１２６条第４項の規定に違反するものであり、特許法第１５９条第１項において読み替えて準用する特許法第５３条第１項の規定により却下されるべきものである。
　
３．本願発明について
　平成１５年１２月８日付けの手続補正は上記の通り却下されたので、本願の請求項１に係る発明（以下、「本願発明」という。）は、平成１５年５月７日付け手続補正書の特許請求の範囲の請求項１に記載された事項により特定される、以下のとおりのものである。
　
「遊技場内の各遊技機と対応した位置に当該遊技機についての遊技データを表示するための表示装置を設けた遊技場用のデータ表示システムにおいて、
　遊技客を特定可能な情報が記録された携帯可能な記録担体と、
　各遊技機に対応して設けられ前記記録担体に記録された情報を読み取り可能に設けられた情報読取手段と、
　各遊技機の遊技データを逐次更新記憶すると共に、前記情報読取手段が読み取った情報に基づいて遊技客が遊技した遊技機の識別情報を遊技履歴データとして記憶可能に設けられ、遊技機側からの要求に応じて上記遊技履歴データにより特定される遊技機についての遊技データを返信可能に構成された情報処理手段と、
　前記情報読取手段が前記記録担体の記録情報を読み取ったときに、当該記録情報により特定される遊技客が当該情報読取手段に対応する遊技機へ移動する前に遊技していた遊技機についての遊技データを前記情報処理手段に要求すると共に、その要求に応じて返信された遊技データを、前記情報読取手段に対応する遊技機の表示装置に当該遊技機の遊技データと一緒に参考遊技データとして比較表示する制御を行う表示制御手段とを備えたことを特徴とする遊技場用のデータ表示システム。」
　
（１）引用例の記載内容
　原査定に引用され本願出願前に頒布された刊行物である引用例１、引用例２、及びその記載内容は、前記２．（２．１．）に記載したとおりである。
　
（２）対比
　本願発明と引用例１に記載の発明との一致点については、前記２．（２．２．）を参照。
　そして、本願発明と引用例１に記載の発明とは、次の点で相違する。
　
（相違点）
　表示制御手段が、本願発明では、情報読取手段が前記記録担体の記録情報を読み取ったときに、当該記録情報により特定される遊技客が当該情報読取手段に対応する遊技機へ移動する前に遊技していた遊技機についての遊技データを前記情報処理手段に要求すると共に、その要求に応じて返信された遊技データを、前記情報読取手段に対応する遊技機の表示装置に当該遊技機の遊技データと一緒に参考遊技データとして比較表示する制御を行うのに対し、引用例１に記載の発明では、前記表示装置に対してパチンコ遊技台３のデータの表示制御を行うものの、本願発明のような表示制御を行うものではない点。
　
（３）判断
　上記相違点について検討する。
　引用例２には、パチンコ遊技機１のデータ表示機４に、遊技客が遊技したパチンコ遊技機１毎の遊技成績を表示することが記載されており（段落【００３３】、【図１０】等参照）、また、表示される遊技成績は最新のものが含まれることも記載されている（段落【００２１】、【００６４】等参照）ことから、遊技客が現在遊技しているパチンコ遊技機１に移動する前に遊技していたパチンコ遊技機１についての遊技成績と、同遊技客が現在遊技しているパチンコ遊技機１での遊技成績とを、一緒に比較表示することは、本願出願前に公知の技術事項である。
　そうすると、引用例１に記載の発明に引用例２に記載の公知技術事項を採用し、制御部３４が、遊技客が現在遊技しているパチンコ遊技台３に移動する前に遊技していたパチンコ遊技台３のデータと、現在遊技しているパチンコ遊技台３のデータを、遊技台管理端末器３８及び主管理装置３６に要求し、その要求に応じて返信されたデータを、一緒に表示制御するよう構成することは、容易に想到し得たものと認められ、そして、前記要求を、読取手段が会員カード１の記憶内容を読み取ったときに行うことは、当業者がデータ表示の迅速性等を考慮することにより適宜なし得る設計的事項である。
　
　そして、本願発明が奏する効果も、引用例１に記載された発明及び引用例２に記載された事項から普通に予測できる範囲のものである。
　
　したがって、本願発明は、引用例１に記載された発明及び引用例２に記載された事項に基いて当業者が容易に発明をすることができたものである。
　
（４）むすび
　以上のとおり、本願発明は、引用例１に記載の発明及び引用例２に記載された事項に基づいて当業者が容易に発明をすることができたものであるから、特許法第２９条第２項の規定により特許を受けることができないものであり、本願の他の請求項について検討するまでもなく、本願は拒絶すべきものである。
　よって、結論のとおり審決する。